(57)【要約】  【課題】使い勝手を向上した電気掃除機を提供する。  【解決手段】集塵部本体15に集塵袋16と分離体17とのいずれか一方を選択的に装着可能とすることで、掃除状況などに応じて作業者が集塵袋16と分離体17とを使い分けることができる。分離体17を選択して集塵部本体15に装着する状態では、集塵袋16を、分離体17で捕集しない塵埃の一部を捕集するように集塵部本体15に取り付け可能とすることで、集塵袋16を分離体17用のフィルタとして共用でき、使い勝手が向上する。  【選択図】図１
2006346278.tif 000002
【特許請求の範囲】
【請求項１】
電動送風機を収容した掃除機本体と、
前記掃除機本体に対して着脱可能に設けられ、前記掃除機本体に取り付けた状態で前記電動送風機の吸込側に連通する集塵部とを具備し、
前記集塵部は、塵埃を捕集する集塵袋と集塵容器とのいずれか一方が選択的に装着可能であるとともに、前記集塵容器を選択した場合に、前記集塵容器に捕集されない塵埃の一部を捕集するように前記集塵袋を取り付け可能な集塵部本体を備えている
ことを特徴とした電気掃除機。
【請求項２】
電動送風機を収容した掃除機本体と、
前記掃除機本体に対して着脱可能に設けられ、前記掃除機本体に取り付けた状態で前記電動送風機の吸込側に連通する集塵部とを具備し、
前記集塵部は、通気性を有し空気を通過させて塵埃を空気から分離する集塵袋本体を有する集塵袋と慣性により塵埃を空気から分離する分離体とのいずれか一方が選択的に装着可能であるとともに、前記分離体を選択した場合に、前記分離体にて分離した塵埃の一部を捕集するように前記集塵袋を取り付け可能な集塵部本体を備えている
ことを特徴とした電気掃除機。
【請求項３】
集塵袋は、蛇腹構造に形成されている
ことを特徴とした請求項１または２記載の電気掃除機。
【発明の詳細な説明】
【技術分野】
【０００１】
本発明は、掃除機本体に取り付けた状態で電動送風機の吸込側に連通する集塵部を備えた電気掃除機に関する。
【背景技術】
【０００２】
従来、電気掃除機には、集塵袋すなわち紙パックを掃除機本体に着脱可能な紙パック式のものと、遠心分離装置すなわちサイクロン分離装置である集塵カップを掃除機本体に着脱可能なサイクロン式のものとがある。
【０００３】
例えば、紙パック式の電気掃除機では、サイクロン式の電気掃除機と比較して、紙パックを装着したままの状態で継続的に掃除でき、また、捕集した塵埃を紙パックとともに手軽に廃棄できるなど、メンテナンスが比較的容易であるという利点がある。
【０００４】
一方で、サイクロン式の電気掃除機では、紙パック式の電気掃除機と比較して、紙パックの予備などを用意しておく必要がないため、経済性が良好であり、また、掃除が終了する毎に捕集した塵埃を廃棄できるので、吸込性能を容易に維持できるという利点がある。
【０００５】
このように、紙パック式の電気掃除機とサイクロン式の電気掃除機とでは、それぞれに異なる利点を有している。
【０００６】
しかしながら、従来の電気掃除機は、紙パック式とサイクロン式とのいずれか一方の専用に構成されているため、使用者は電気掃除機を購入する段階でいずれかの方式を選択しなければならず、また、電気掃除機の製造者側では、各方式のそれぞれに対応する異なる電気掃除機を製造しなければならないという問題があった。
【０００７】
そこで、共通の掃除機本体をベースとして、製造段階で紙パック式とサイクロン式とを作り分けることができる電気掃除機が知られている（例えば、特許文献１参照。）。
【特許文献１】特開２００３−３１０４９９号（第６頁、図９）
【発明の開示】
【発明が解決しようとする課題】
【０００８】
しかしながら、上述の電気掃除機では、製造者側が紙パック式とサイクロン式とのそれぞれに対応する電気掃除機を共通の掃除機本体をベースとして製造できるものの、使用者側では、依然として紙パック式とサイクロン式とのいずれか一方のみを選択しなければならないという問題点を有している。
【０００９】
そして、このように紙パック式とサイクロン式とのいずれか一方のみを選択しなければならないことで、掃除状況などに適した掃除方式を選択することができず、使い勝手が良好でないという問題がある。
【００１０】
本発明は、このような点に鑑みなされたもので、使い勝手を向上した電気掃除機を提供することを目的とする。
【課題を解決するための手段】
【００１１】
本発明は、掃除機本体に対して着脱可能に設けられ、掃除機本体に取り付けた状態で電動送風機の吸込側に連通する集塵部が、塵埃を捕集する集塵袋と集塵容器とのいずれか一方が選択的に装着可能であるとともに、集塵容器を選択した場合に、集塵容器に捕集されない塵埃の一部を捕集するように集塵袋を取り付け可能な集塵部本体を備えているものである。
【００１２】
また、本発明は、集塵部が、通気性を有し空気を通過させて塵埃を空気から分離する集塵袋本体を有する集塵袋と慣性により塵埃を空気から分離する分離体とのいずれか一方が選択的に装着可能であるとともに、分離体を選択した場合に、分離体にて分離した塵埃の一部を捕集するように集塵袋を取り付け可能な集塵部本体を備えているものである。
【発明の効果】
【００１３】
本発明によれば、集塵部本体に集塵袋と集塵容器とのいずれか一方を選択的に装着することで、掃除状況などに応じて作業者が集塵袋と集塵容器とを使い分けることができるとともに、集塵容器を選択して集塵部本体に装着する状態では、集塵袋を、集塵容器に捕集されない塵埃の一部を捕集するように集塵部本体に取り付け可能とすることで、集塵袋を集塵容器用のフィルタとして共用でき、使い勝手が向上する。
【００１４】
また、本発明によれば、通気性を有し空気を通過させて塵埃を空気から分離する集塵袋本体を有する集塵袋と慣性により塵埃を空気から分離する分離体とのいずれか一方を集塵部本体に選択的に装着することで、掃除する塵埃の種類などに応じて作業者が集塵袋と分離体とを使い分けることができるとともに、分離体を選択して集塵部本体に装着する状態では、集塵袋を、分離体で分離した塵埃の一部を捕集するように集塵部本体に取り付け可能とすることで、集塵袋を分離体用のフィルタとして共用でき、使い勝手が向上する。
【発明を実施するための最良の形態】
【００１５】
以下、本発明の一実施の形態の電気掃除機の構成を図１ないし図９を参照して説明する。
【００１６】
図８および図９において、１は掃除機本体で、この掃除機本体１は、内部に収容された電動送風機２の駆動にて生じる吸込風とともに吸い込んだ塵埃を集塵部としての集塵カップ３で分離して集塵する電気掃除機であり、被掃除面としての床面上を走行可能である。
【００１７】
また、掃除機本体１は、電動送風機２を収容した本体ケース４と、この本体ケース４の前側に区画形成された集塵室Ｒの上部に連通する開口５を回動により開閉可能とする本体蓋６とを備えている。
【００１８】
そして、掃除機本体１の前部には、集塵室Ｒに連通し外部から空気を吸引する本体吸込口７が開口されている。この本体吸込口７には、可撓性を有し湾曲可能な細長略円筒状のホース体８が連通接続されている。このホース体８の先端には、電動送風機２の動作モードなどが選択可能な手元操作部９が設けられている。この手元操作部９には、作業者が把持する手元把持部10が突設され、この手元把持部10には、電動送風機２などを複数の動作モードに設定する複数の設定ボタン11が設けられている。
【００１９】
また、手元操作部９の先端には、伸縮可能な細長略円筒状の延長管12が着脱可能に連通接続されている。さらに、この延長管12の先端には、例えば室内の床面の絨毯などの上に載置され、絨毯などの上の塵埃を吸い込む吸込口体としての床ブラシ13が着脱可能に連通接続されている。
【００２０】
さらに、掃除機本体１内には、電動送風機２などに外部の商用交流電源から給電可能な電源コード14が引き出し可能に収納されている。
【００２１】
そして、集塵カップ３は、図１ないし図３に示すように、中空な集塵部本体15と、この集塵部本体15内に選択的に装着可能な集塵体としての集塵袋16および集塵容器としての分離体17と、集塵部本体15の後部に着脱可能に取り付けられるフィルタ体18とを備えている。なお、以下、集塵カップ３の上流側を前側、下流側を後側とする。
【００２２】
集塵部本体15は、上流側に位置する本体上流部21と、この本体上流部21に対して回動可能に設けられた本体下流部22とを有している。
【００２３】
本体上流部21は、前側に位置する四角形状の前板部25と、この前板部25の両側部に設けられた一対の上流側板部26，26と、これら前板部25および上流側板部26，26の上端部間に連続する上流上板部27と、これら前板部25および上流側板部26，26の下端部間に連続する上流下板部28とを備え、これら板部26，26，27，28の後端部が略面一となって本体上流部21の後端部に上流側連通開口29が区画されている。
【００２４】
前板部25には、中央部に丸孔状の吸込口31が開口形成されている。また、この前板部25の左右方向中央部の上部には、集塵袋16と分離体17とのそれぞれを集塵部本体15の本体上流部21内に着脱可能に保持するクランプ部32が設けられている。
【００２５】
吸込口31は、集塵カップ３を図８に示す集塵室Ｒに取り付けた状態で本体吸込口７に連通接続されて図９に示す電動送風機２の駆動により空気とともに塵埃が吸い込まれる開口であり、前板部25の後面における吸込口31の周囲には、集塵袋16と分離体17とのそれぞれに対して吸込口31を気密に接続するためのパッキン34が設けられている。
【００２６】
クランプ部32は、前板部25の左右方向中央部の上部に穿設された図示しない横長の取付孔の両側部に設けられたクランプ部側板37，37と、取付孔の下方にてクランプ部側板37，37の下端部間に連結されたクランプ部底板38とにより区画された空間部41に、後端部が取付孔に挿入されたクランプ体としてのクランプボタン42が取り付けられている。
【００２７】
クランプ部側板37，37には、後部寄りすなわち前板部25側の上端部近傍に、クランプボタン42を上下方向に回動可能に軸支する軸支穴44（一方のみ図示）が穿設されている。
【００２８】
空間部41は、上側および前側が開放されており、この開放された上側から、クランプボタン42の前部上側が露出している。
【００２９】
クランプボタン42は、空間部41内に位置し作業者が押し操作する被操作部46を前部に備え、この被操作部46の後部には、取付孔に挿入されて本体上流部21内に位置した挿入部47と、この挿入部47の後端部から下方前側へと突設された係合爪部48とが一体に設けられている。
【００３０】
被操作部46は、上部および前部が空間部41から露出し、両側部に回動軸A1（一方のみ図示）が突設され、これら回動軸A1がクランプ部側板37，37の軸支穴44に挿入されて回動可能に軸支されている。そして、これら回動軸A1には、図示しないトーションばねが設けられ、これらトーションばねは、クランプボタン42の被操作部46側を上方向へ、すなわち挿入部47側を下方向へと付勢するものである。
【００３１】
挿入部47は、前板部25の後面に取り付けられた角筒状の保持部材49に挿通されて保持されて、本体上流部21内にて上流上板部27の下面から離間されている。
【００３２】
係合爪部48は、集塵部本体15内に取り付けられた集塵袋16あるいは分離体17に係合され、トーションばねの付勢力によりこれら集塵袋16あるいは分離体17を集塵部本体15内に保持するものである。
【００３３】
上流上板部27の上面の左右方向中央部の後部には、本体上流部21と本体下流部22とを互いに係合する際の爪部となる係合部50が上方向に突設されている。また、この上流上板部27の上面の係合部50の若干前方の両側には、軸支部51，51が上方向に突設され、これら軸支部51，51には、集塵カップ３の把持用のＵ字状の把持ハンドル52の両端部が前後方向に回動可能に軸支されている。
【００３４】
上流下板部28の前端部には、集塵袋16の下端部を嵌合可能な嵌合凹部54が設けられている。また、上流下板部28の後端部には、本体上流部21に対して本体下流部22を回動可能に軸支する一対のヒンジ部55，55が設けられている。
【００３５】
嵌合凹部54は、上流下板部28から下方に突設され、両側部が上流側板部26，26よりも左右方向内側に位置しているとともに、前側が前板部25と略面一となっている。そして、この嵌合凹部54は、図８に示すように集塵カップ３を集塵室Ｒに取り付ける際の位置決め部ともなるものである。
【００３６】
図１ないし図３に戻って、ヒンジ部55，55は、集塵カップ３の左右方向に互いに対称な位置にそれぞれ設けられている。
【００３７】
上流側連通開口29は、本体上流部21内と本体下流部22内とを連通する正面視四角形状の開口である。
【００３８】
一方、本体下流部22は、一対の下流側板部57，57と、これら下流側板部57，57の上端部に連続する下流上板部58と、これら下流側板部57，57の下端部に連続する下流下板部59とにより、前端部および後端部が略面一となり、前端部に上流側連通開口29と連通接続される下流側連通開口61を区画するとともに後端部にフィルタ体18が着脱される排気口62を区画する角筒状に形成され、本体上流部21よりも上側に大きくなっている。
【００３９】
下流側板部57の後端部の上側寄りの位置には、フィルタ体18の後端部側が露出する切欠部64がそれぞれ四角形状に切り欠き形成されている。
【００４０】
下流上板部58の左右方向中央部の前端部両側には、一対の軸支突部66，66（図８に示す）が上方向に突設され、これら軸支突部66，66には、本体上流部21と本体下流部22とを係合する係合体としての係合ボタン67が回動可能に軸支されている。また、下流上板部58の左右方向中央部の後端部には、排気口62に取り付けられたフィルタ体18を係合する係合突部68が後方に向けて突設されている。
【００４１】
軸支突部66，66は、集塵カップ３の左右方向に互いに対称な位置にそれぞれ設けられている。
【００４２】
係合ボタン67は、略横長板状に形成されている。また、この係合ボタン67は、作業者が押し操作する押し操作部71を後部に備え、この押し操作部71の前部には、本体下流部22の前端部に沿って下方へと屈曲された屈曲部72と、この屈曲部72から前方へと突設された係合突出部73とが一体に設けられている。
【００４３】
押し操作部71は、両側部に操作部回動軸A2（一方のみ図示）が突設され、これら操作部回動軸A2が軸支突部66に挿入されて回動可能に軸支されている。そして、これら操作部回動軸A2には、図示しない回動軸トーションばねが設けられ、これら回動軸トーションばねは、係合ボタン67の押し操作部71を上方向へ、すなわち屈曲部72および係合突出部73側を下方向へと付勢するものである。このため、押し操作部71は、上側に最大に回動した状態で下流上板部58に対して後側が若干上側に浮いた状態となっている。
【００４４】
係合突出部73は、本体上流部21の上流上板部27の係合部50に係合するもので、この係合部50が係合する図示しない係合凹部が下端部に設けられている。
【００４５】
係合突部68は、下流上板部58から上方に突出し、かつ、先端部が後方に屈曲して、この先端部が下流上板部58の後端部よりも後側に突出している。
【００４６】
下流下板部59の前端部には、本体上流部21の一対のヒンジ部55，55に回動可能に軸支されるヒンジ部75，75が設けられている。
【００４７】
これらヒンジ部75，75は、集塵カップ３の左右方向に互いに対称な位置にそれぞれ設けられ、ヒンジ部55，55に対して集塵カップ３の幅方向中央側からそれぞれ係合されている。
【００４８】
下流側連通開口61は、各板部57，57，58，59のそれぞれの前端部から内部側へとフランジ状に突出したフランジ部77により周囲を区画されている。そして、この下流側連通開口61の内縁部には、開口パッキン78が全周に亘って取り付けられている。この開口パッキン78は、本体上流部21と本体下流部22とを互いに係止した状態で上流側連通開口29の周縁部を区画する各板部26，26，27，28の後端部に圧接され、上流側連通開口29と下流側連通開口61とを気密に接続するものである。
【００４９】
排気口62は、吸込口31から吸い込まれ集塵カップ３内で塵埃を捕集された空気が、集塵カップ３の外部へと排気される開口であり、この集塵カップ３の外部へと排気された空気は、図８に示すように、集塵室Ｒの後部に格子状に設けられた格子リブ部81に保持された集塵室フィルタ82を介して、図９に示す電動送風機２へと吸い込まれるように構成されている。
【００５０】
集塵袋16は、図１および図２に示すように、集塵部本体15に装着した際にクランプボタン42により保持される口板84と、この口板84と一体的に設けられた通気性を有する袋状の集塵袋本体85とを備え、この集塵袋本体85に空気を通過させて塵埃を空気から分離して捕集するものである。
【００５１】
口板84は、例えばボール紙などの厚紙により正方形状に形成され、中央部に丸孔状の吸込開口87が穿設されている。そして、この口板84は、集塵袋16を集塵部本体15に装着した状態で前板部25のパッキン34が吸込開口87の周囲に圧接されることで、吸込口31と吸込開口87とが気密に接続されるように構成されている。
【００５２】
集塵袋本体85は、複数の通気性素材を積層したシートを折り畳んで袋状に形成され、口板84の吸込開口87が内部に連通するように口板84の後部に取り付けられている。そして、この集塵袋本体85の折り畳みに際しては、例えば口板84側から後側へと、上下両端部を上下方向にそれぞれ折り畳む折りひだ部85aと、左右両側部を左右方向にそれぞれ折り畳む折りひだ部85bと、前記折りひだ部85aとを順次形成するように折り畳むことで、集塵袋本体85が蛇腹構造に構成されている。
【００５３】
この結果、集塵袋16は、図４(a)に示す折り畳み状態では、口板84に集塵袋本体85が接近してコンパクトになり、図４(b)に示すように膨らんだ状態では、前後方向に伸びて充分な集塵量を確保するように構成されている。
【００５４】
また、分離体17は、図１、図３、図５および図６に示すように、集塵部本体15に装着した際にクランプボタン42により保持される被保持部91と、この被保持部91の後部に一体に設けられた集塵本体部92とを有し、慣性により塵埃を空気から分離して捕集するとともに、フィルタ体18との間に補助分離体としてのフィルタ枠Ｆ、整流体としてのインデューサＩおよび集塵袋16を介在することでサイクロン分離に使用されるサイクロン内容器である。
【００５５】
被保持部91は、例えば合成樹脂などにより前後方向に厚み方向を有し集塵袋16の口板84よりも小さい四角形板状に形成され、中央部に丸孔状の連通開口94が穿設されている。また、この被保持部91の連通開口94の周囲には、上部、一側部および下部に亘って連続する肉取り部95が凹状に形成されている。さらに、この被保持部91は、分離体17を集塵部本体15に装着した状態で前板部25のパッキン34が連通開口94の周囲に圧接されることで、吸込口31と連通開口94とが気密に接続されるように構成されている。そして、被保持部91の上部には、クランプボタン42の係合爪部48に係合保持される被保持突部96が左右方向の中央部に突設されている。
【００５６】
連通開口94は、吸込口31よりも大きく形成されている。また、この連通開口94は、被保持部91の後側に突出するように分離筒部97が取り付けられている。この分離筒部97は、吸込口31から吸い込んだ塵埃を、慣性により粗塵と細塵とに分離する部分であり、前側から後側へと縮径されるように形成され、複数の通気口98が周方向にそれぞれ離間されて穿設されている。また、分離筒部97の下流端である後部には、整流部99が一体に設けられている。
【００５７】
各通気口98には、メッシュ状の細塵フィルタ101がそれぞれ取り付けられている。これら細塵フィルタ101は、分離筒部97に吸い込まれ通気口98を通過する吸込風に含まれる細塵を捕集するものである。
【００５８】
整流部99は、分離筒部97を通過した吸込風を整流するものであり、正面視で逆コ字状に形成されて一側方および後方に開口し、後端部が集塵本体部92の後端部と略面一となるように形成されている。
【００５９】
集塵本体部92は、被保持部91の後部に一体に設けられた集塵前板部102と、この集塵前板部102の両側部から後方へと穿設された集塵側板部103，104と、これら集塵側板部103，104の上端部間に連続する集塵上板部105と、集塵側板部103，104の下端部間に連続する集塵下板部106とを有し、各板部103，104，105，106の後端部が略面一に形成されている。
【００６０】
また、この集塵本体部92内には、集塵上板部105の後端部に略四角形状に切り欠き形成された切欠孔107の一側縁部に沿って、第１区画板部111が集塵下板部106に亘って連続することで、集塵前板部102、集塵側板部103、集塵上板部105および集塵下板部106との間で第１集塵空間部112が区画されているとともに、切欠孔107の他側縁部に沿って、第２区画板部113が集塵下板部106に亘って連続することで、集塵前板部102、集塵側板部104、集塵上板部105および集塵下板部106との間で第２集塵空間部114が区画され、かつ、この第２区画板部113が第１区画板部111へと連続することで、集塵前板部102および両区画板部111，113の間で分離空間部115が区画されている。
【００６１】
さらに、この集塵本体部92には、分離空間部115内の上部にて、切欠孔107の前縁部から下方へと、両区画板部111，113間に亘って通路区画板部117が延設され、この通路区画板部117の下端部が前方へ屈曲されて集塵前板部102に連続することで、分離筒部97の上方に、各集塵空間部112，114間を連通する通路部118が区画されている。また、この集塵本体部92は、本体上流部21の各板部26，26，27，28の内側面からそれぞれ突設されたリブ119により、各板部103，104，105，106の外側が保持されることで、集塵部本体15の本体上流部21に分離体17を装着した状態で、分離筒部97がパッキン34に圧接されるとともに集塵本体部92の後端部が本体上流部21の後端部と略面一となるように、本体上流部21内に位置決めされるとともに、上下左右方向に位置規制される。
【００６２】
集塵前板部102には、丸孔状の図示しない貫通孔が中央部に穿設されて、この貫通孔に分離筒部97が挿通されて、被保持部91の後面に一体に取り付けられている。
【００６３】
集塵側板部103，104は、それぞれ後側から集塵前板部102との連続部へ向けて左右方向の中心側に湾曲するように形成されている。
【００６４】
切欠孔107は、集塵上板部105の左右方向の中心域に形成され、一側部が前後方向に略直線状に形成され、前縁部が左右方向に略直線状に形成されるとともに、他側部が、前側から後側へと左右方向の中心側に傾斜するように、分離筒部97の縮径傾斜に沿って傾斜状に形成されている。
【００６５】
第１区画板部111は、集塵上板部105から下方向へと略垂直に形成され、上下方向の略中央部の後端部に、第１集塵空間部112と分離空間部115とを連通する四角形状の連通切欠孔121が切り欠き形成されている。この連通切欠孔121は、整流部99の側部開口と気密に接続されている。したがって、分離筒部97を通過した吸込風は、整流部99を介して連通切欠孔121から第１集塵空間部112へと流入するように構成されている。すなわち、第１集塵空間部112は、分離筒部97にて分離された粗塵が吸込風とともに流入し、この粗塵の一部を内部に収容可能となっている。
【００６６】
第２区画板部113は、集塵上板部105から下方向へと略垂直に形成された垂直部123と、この垂直部123の下部から水平方向に屈曲されて第１区画板部111へと連続する水平部124と、この水平部124の下部から集塵下板部106へと突設された突出連続部125とを備えている。
【００６７】
垂直部123は、集塵前板部102に対して垂直に設けられた前側垂直部123aと、この前側垂直部123aの後部および切欠孔107の下部に連続する後側垂直部123bとを有している。
【００６８】
前側垂直部123aの上部には、通路部118に連通する角孔状の通気孔126が穿設されている。
【００６９】
後側垂直部123bは、前側垂直部123aに対して、下流側である後側へと拡開状に設けられ、後端部が集塵本体部92の後端部と略面一となっている。
【００７０】
水平部124は、分離空間部115の下部を区画するもので、分離筒部97の下方に位置し、連通切欠孔121の下部にて第１区画板部111に連続している。また、この水平部124の後端部は、集塵本体部92の後端部と略面一となっている。
【００７１】
突出連続部125は、集塵前板部102側から後端部側へと、分離筒部97の縮径形状に対応して拡開されるように傾斜している。また、この突出連続部125の後端部は、集塵本体部92の後端部と略面一となっている。
【００７２】
すなわち、第２集塵空間部114は、上流側である前側から下流側である後側へと拡開状に形成され、通路部118を介して通過する第１集塵空間部112側からの吸込風により、粗塵の残りの部分を内部に収容可能となっている。
【００７３】
なお、各集塵空間部112，114は、それぞれフィルタ枠Ｆを分離体17とフィルタ体18との間に介在した状態で後端部がフィルタ枠Ｆにより閉塞されることで、閉塞された空間部となる。
【００７４】
分離空間部115は、分離筒部97が内部に位置する部分であり、この分離筒部97の通気口98を介して分離筒部97内と連通している。したがって、分離空間部115には、細塵フィルタ101にて細塵を捕集された吸込風が流入するように構成されている。
【００７５】
通路区画板部117は、断面視で略Ｌ字状に形成され、第１区画板部111の上部前側に穿設された角孔状の図示しない第１通気孔と、第２区画板部113に穿設された第２通気孔126との間を連通する通路部118を区画している。
【００７６】
したがって、通路部118は、両端部が集塵側板部103，104のそれぞれ湾曲形状に連続するように形成されている。このため、集塵本体部92内には、第１集塵空間部112、通路部118および第２集塵空間部114に亘って、吸込風が旋回可能な筒状の空間部が形成されている。
【００７７】
リブ119は、それぞれ前後方向に沿って各板部26，26，27，28に一対ずつ設けられている。
【００７８】
フィルタ枠Ｆは、本体下流部22の内縁形状に沿って四角形板状に形成され、フィルタ枠Ｆを分離体17とフィルタ体18との間に介在して集塵部本体15内に取り付けた状態で本体下流部22のフランジ部77の後面に周囲が当接するように構成されている。また、このフィルタ枠Ｆは、各連通開口29，61の内縁部に沿う外形を有する前側板部131が前部に一体に設けられているとともに、第１集塵空間部112の後部に対向する第１開口部132と、第２集塵空間部114の後部に対向する第２開口部133と、分離空間部115の後部に対向する分離開口部134とが穿設されている。
【００７９】
前側板部131は、フィルタ枠Ｆを分離体17とフィルタ体18との間に介在して集塵部本体15内に取り付けた状態で開口パッキン78の内縁部に外縁部が気密に嵌合する部分であり、フィルタ枠Ｆに対して同方向に厚みを有する段差板状に突設されている。また、この前側板部131の前部には、第１開口部132の周囲に第１パッキン136が取り付けられているとともに、第２開口部133の周囲に第２パッキン137が取り付けられている。
【００８０】
第１開口部132は、整流部99により整流された吸込風の一部が第１集塵空間部112内からフィルタ体18へと通過する縦長角孔状の開口であり、フィルタ枠Ｆを分離体17とフィルタ体18との間に介在して集塵部本体15内に取り付けた状態で連通切欠孔121の下流側の近傍に位置している。そして、この第１開口部132には、通過する吸込風に含まれる細塵を捕集するメッシュ状の第１メッシュフィルタ141が取り付けられている。
【００８１】
第２開口部133は、第２集塵空間部114に流入した吸込風が第２集塵空間部114内からフィルタ体18へと通過する開口であり、第２集塵空間部114を区画する集塵上板部105、集塵側板部103、集塵下板部106、および、第２区画板部113に沿って正面視でＬ字状に形成されている。そして、この第２開口部133には、通過する吸込風に含まれる細塵を捕集するメッシュ状の第２メッシュフィルタ142が取り付けられている。
【００８２】
分離開口部134は、分離空間部115に流入した吸込風がフィルタ体18へと通過する角孔状の開口であり、フィルタ枠Ｆを分離体17とフィルタ体18との間に介在して集塵部本体15内に取り付けた状態で分離筒部97の上方に位置している。
【００８３】
第１パッキン136は、フィルタ枠Ｆを分離体17とフィルタ体18との間に介在して集塵部本体15内に取り付けた状態で整流部99、集塵上板部105の一側部、集塵側板部103、集塵下板部106の一側部、および、第１区画板部111のそれぞれの後端部に圧接されるように形成されている。このため、第１パッキン136は、これら各部の形状に沿って正面視で横凸字状に形成されている。
【００８４】
第２パッキン137は、フィルタ枠Ｆを分離体17とフィルタ体18との間に介在して集塵部本体15内に取り付けた状態で集塵上板部105の他側部、集塵側板部103、集塵下板部106の他側部、および、第２区画板部113の後側垂直部123bと水平部124と突出連続部125との、それぞれの後端部に圧接されるように形成されている。このため、第２パッキン137は、これら各部の形状に沿って、すなわち第２開口部133の形状に沿って、正面視でＬ字状に形成されている。
【００８５】
インデューサＩは、フィルタ枠Ｆの各開口部132，133，134を通過した吸込風を集塵袋16の吸込開口87へと整流するもので、図１および図７に示すように、フィルタ枠Ｆと略等しい大きさの四角形板状に形成され、中央部が前側から後側へと凹状に窪んで形成され、この窪んだ中央部に丸孔状の整流孔143が穿設されている。また、このインデューサＩの後面には、整流孔143の周縁部にインデューサパッキン144が取り付けられているとともに、外周縁部に沿って、集塵袋16をこのインデューサＩに取り付けるための取付枠部145が設けられている。
【００８６】
整流孔143は、集塵袋16を取付枠部145に取り付けた状態で吸込開口87に接続される開口であり、この吸込開口87と略等しい大きさに形成されている。
【００８７】
インデューサパッキン144は、集塵袋16を取付枠部145に取り付けた状態で口板84の前面に後端部が圧接されて、整流孔143と吸込開口87とを気密に接続するものである。
【００８８】
取付枠部145は、インデューサＩの上縁部に沿って左右方向に延設された上枠部145aと、この上枠部145aの一側端からインデューサＩの一側縁部に沿って下方へと延設された側枠部145bと、この側枠部145bの下端からインデューサＩの下縁部に沿って上枠部145aと平行に延設された下枠部145cとにより、正面視で他側部が開口された逆コ字状に形成され、これら各枠部145a，145b，145cの内側に、集塵袋16の口板84を嵌合する溝部Ｄが連続して形成されている。
【００８９】
この溝部Ｄは、上枠部145aおよび下枠部145cの他端側に連通している。したがって、集塵袋16は、取付枠部145の開放された他側端から口板84の上下端部を溝部Ｄに嵌合させて、インデューサＩの後面に沿うように一側方向すなわち側枠部145b側へと摺動すなわちスライドさせることで、インデューサＩに固定される。
【００９０】
フィルタ体18は、排気口62の内形形状に沿う外形を有する四角形枠状のフィルタ保持枠146と、このフィルタ保持枠146の後部に保持される微細塵フィルタ147とを備えている。
【００９１】
フィルタ保持枠146は、後端部の全周に、当接フランジ部148が突設されている。この当接フランジ部148は、フィルタ体18を排気口62に取り付けた際にこの排気口62の周縁部である本体下流部22の後端部に当接してフィルタ体18を排気口62に対して位置決めするものである。さらに、このフィルタ保持枠146の上部には、フィルタ体18を集塵部本体15から取り外す際に摘む取手部149が突設され、この取手部149には、集塵部本体15の本体下流部22の係合突部68が挿入されて係止される係止孔150が穿設されている。
【００９２】
そして、フィルタ保持枠146には、格子状の格子リブ151が前端部に面状に形成され、これら格子リブ151により微細塵フィルタ147をフィルタ保持枠146に保持している。
【００９３】
次に、上記一実施の形態の動作を説明する。
【００９４】
まず、掃除を開始する前に、作業者は、集塵袋16と分離体17とのいずれを集塵カップ３に装着するかを決定する。例えば、継続的に塵埃を掃除する場合、あるいは体積が比較的小さく重量が比較的大きい砂塵などを掃除する場合には、集塵袋16を選択して装着し、集塵袋16の予備がない場合、あるいは体積が比較的大きく重量が比較的小さい綿埃などを掃除する場合には、分離体17を選択して装着する。
【００９５】
集塵袋16を選択して装着する場合には、係合ボタン67の押し操作部71を押し操作して係合突出部73と係合部50との係合を外し、図２に示すように本体上流部21と本体下流部22とを開き、集塵袋16の口板84側を前側として本体上流部21の上流側連通開口29から挿入し、口板84の下端部を嵌合凹部54に嵌合させた状態で、クランプボタン42の被操作部46を押し操作して係合爪部48を上流上板部27側へと移動させ、口板84の下端部を中心として口板84の上端部を前板部25の後面側へと回動させた後、クランプボタン42の押し操作を解除すると、トーションばねの付勢力により復帰したクランプボタン42の係合爪部48が口板84の上端部に係合し、集塵袋16が本体上流部21内に保持される。また、フィルタ体18を排気口62から本体下流部22に取り付ける。
【００９６】
一方、分離体17を選択して装着する場合には、上記集塵袋16を装着する動作と同様に操作して図３に示すように本体上流部21と本体下流部22とを開き、クランプボタン42の被操作部46を押し操作して係合爪部48を上流上板部27側へと移動させた状態で分離体17の被保持部91側を前側として本体上流部21の上流側連通開口29から挿入すると、各リブ119により分離体17がガイドされて被保持部91が前板部25の後面に圧接され、クランプボタン42の押し操作を解除すると、トーションばねの付勢力により復帰したクランプボタン42の係合爪部48が被保持部91の被保持突部96に係合し、分離体17が本体上流部21内に保持される。また、集塵袋16をインデューサＩの取付枠部145に対してこの取付枠部145の開口端側から摺動させて取り付け、フィルタ枠Ｆと、インデューサＩおよび集塵袋16とをそれぞれフィルタ体18とともに排気口62から本体下流部22に取り付ける。
【００９７】
この状態で、ヒンジ部55，55，75，75を中心として本体下流部22を本体上流部21側へと回動させて押し込むことで、係合部50と係合ボタン67の係合突出部73とが係合し、本体上流部21と本体下流部22とが互いに係止される。
【００９８】
さらに、図８に示すように、集塵袋16、あるいは分離体17を装着した集塵カップ３を、本体蓋６を開けた集塵室Ｒへと開口５から挿入して取り付け、本体蓋６を閉じる。
【００９９】
次いで、図９に示すように、掃除機本体１の本体吸込口７に、ホース体８、延長管12および床ブラシ13を順次連通接続し、電源コード14を掃除機本体１から引き出して図示しないコンセントに接続し、作業者が手元把持部10を把持して所定の設定ボタン11を操作し、電動送風機２を所望の動作モードで動作させる。
【０１００】
そして、作業者は、床ブラシ13を床面に接地させて前後に走行させ、床面上の塵埃を空気とともに吸い込んで掃除する。
【０１０１】
塵埃とともに床ブラシ13から吸い込まれた空気は、吸込風となり、この吸込風は、延長管12、ホース体８および本体吸込口７を順次通過した後、集塵室Ｒ内の集塵カップ３の吸込口31から集塵カップ３内へと吸い込まれる。
【０１０２】
集塵カップ３に集塵袋16を装着している場合には、吸込風が吸込開口87から吸い込まれて集塵袋本体85を通過する際に、吸込風に含まれる塵埃が集塵袋本体85に捕集され、この塵埃が捕集された吸込風は、微細塵フィルタ147を通過する際に微細塵が捕集されて、排気口62から集塵カップ３の外部へと排気される。
【０１０３】
一方、集塵カップ３に分離体17を装着している場合には、吸込風が分離筒部97を通過する際に、比較的重量が大きい粗塵は、この吸込風とともに分離筒部97を直進して整流部99を介して連通切欠孔121から第１集塵空間部112側へと通過するとともに、比較的重量が小さい細塵は、吸込風が細塵フィルタ101を通過する際にこの細塵フィルタ101に捕集される。
【０１０４】
粗塵とともに第１集塵空間部112に流入した吸込風は、一部が第１開口部132を通過する際に第１メッシュフィルタ141により細塵を捕集されてフィルタ体18へと通過し、他部が第１集塵空間部112の集塵側板部103の湾曲形状に沿って通路部118を介して第２集塵空間部114へと旋回する。このとき、粗塵の一部は、第１集塵空間部112内にてサイクロン分離されて、この第１集塵空間部112に捕集される。
【０１０５】
この第２集塵空間部114に流入した吸込風は、残留した粗塵が第２集塵空間部114内にてサイクロン分離されて第２集塵空間部114内に捕集されるとともに、第２開口部133をインデューサＩへと通過し、この通過の際に第２メッシュフィルタ142により残留した細塵が捕集される。
【０１０６】
一方、細塵フィルタ101を通過した吸気風は、分離空間部115および分離開口部134を介してインデューサＩへと通過する。
【０１０７】
各開口部132，133，134を介してインデューサＩへと通過した吸込風は、このインデューサＩにより整流されて整流孔143から吸込開口87へと吸い込まれて集塵袋本体85により分離筒部97で分離した細塵が捕集され、この集塵袋本体85を通過した吸込風は、フィルタ体18の微細塵フィルタ147を通過する際に微細塵が捕集されて、排気口62から集塵カップ３の外部へと排気される。
【０１０８】
そして、集塵カップ３から排気された空気は、集塵室フィルタ82を通過して電動送風機２へと吸い込まれて排気風となり、図示しない排気孔から掃除機本体１の外部へと排気される。
【０１０９】
また、集塵袋16を装着した集塵カップ３では、集塵袋16が一杯になると、電気掃除機を停止した後、本体蓋６を開けて集塵カップ３を集塵室Ｒから取り出し、ごみ箱などの上方で、把持ハンドル52を把持した状態で係合ボタン67を操作して本体下流部22を本体上流部21に対して開き、さらに、本体上流部21の上流下板部28とクランプボタン42とを挟むように把持することで、クランプボタン42の係合爪部48が上流上板部27側へと回動して集塵袋16の口板84との係合が外れ、集塵袋16が自重によりごみ箱などへと落下して廃棄される。
【０１１０】
一方、分離体17を装着した集塵カップ３では、分離体17の各集塵空間部112，114内が一杯になったり、各フィルタ101，141，142が目詰まりしたりすると、上記集塵袋16を装着した集塵カップ３と同様に本体下流部22を本体上流部21に対して開くことで、フィルタ枠Ｆが本体下流部22側に一体に保持されて各集塵空間部112，114の後側が開き、これら集塵空間部112，114内に収容された塵埃をごみ箱などへと廃棄可能となるとともに、フィルタ枠ＦおよびインデューサＩを取り外し、このインデューサＩの取付枠部145の開口端側に集塵袋16を摺動させてこのインデューサＩから集塵袋16を取り外すことで、この集塵袋16を廃棄可能となる。
【０１１１】
また、分離体17は、上記集塵袋16を装着した集塵カップ３と同様にクランプボタン42を操作することで本体上流部21から取り外し、ティッシュペーパなどで各細塵フィルタ101にて捕集した細塵を除去するとともに、フィルタ枠Ｆの各メッシュフィルタ141，142もティッシュペーパなどで掃除する。
【０１１２】
さらに、微細塵フィルタ147が目詰まりした場合などには、取手部149を摘んでごみ箱の上などで本体下流部22からフィルタ体18を取り外し、微細塵フィルタ147を水洗いなどにより逆洗して、この微細塵フィルタ147にて捕集した微細塵を除去する。
【０１１３】
上述したように、上記一実施の形態では、共通の集塵部本体15に、集塵袋16と分離体17とのいずれか一方を選択的に装着可能とする構成、すなわち集塵袋16と分離体17とをコンパチブルに集塵部本体15に収納可能なものとした。
【０１１４】
このため、作業者は、例えば電気掃除機のメンテナンスを容易としたい場合などには、集塵部本体15に集塵袋16を装着して使用し、集塵袋の予備がない場合、あるいは、ペットの抜け毛などの掃除のように集塵袋16では直ぐに一杯になってしまう塵埃を掃除する場合などには、集塵部本体15に分離体17およびフィルタ枠Ｆを装着して使用するなど、掃除状況および使用環境などに応じて作業者が集塵袋16と分離体17とを使い分けることができ、掃除性を向上できる。
【０１１５】
また、空気からの塵埃の分離方法に着目すると、通気性を有し空気を通過させて塵埃を空気から分離する集塵袋本体85を備えた集塵袋16と、慣性により塵埃を空気から分離する分離体17とのいずれか一方を、共通の集塵部本体15に選択的に装着可能とすることで、例えば体積が比較的小さく重量が比較的大きい砂塵などを掃除する場合には集塵袋16を装着し、体積が比較的大きく重量が比較的小さい綿埃などを掃除する場合には、分離体17を装着するなど、掃除対象となる塵埃の種類に応じても作業者が集塵袋16と分離体17とを使い分けでき、掃除性を向上できる。
【０１１６】
さらに、上記電気掃除機の製造者側でも、電気掃除機の内部構成などを一切変えることなく、分離体17とフィルタ枠Ｆとを別個に製造するだけで紙パック式とサイクロン式との双方に容易に対応できる。
【０１１７】
そして、分離体17を選択して集塵部本体15に装着する状態では、集塵袋16を微細塵捕集用として集塵部本体15に取り付けできるので、集塵袋16を分離体17用のフィルタとしても共用でき、分離体17用のフィルタが別個に必要とならず、使い勝手が向上する。
【０１１８】
また、分離体17を集塵部本体15に装着する際には、吸込風を整流するインデューサＩを集塵袋16の前部に配設することで、分離体17で分離された微細塵を、より効率よく集塵袋16内へと導くことができる。
【０１１９】
さらに、インデューサＩは、後面に取付枠部145を設け、集塵袋16を溝部Ｄに沿ってスライドさせて取り付け可能とすることで、取り付けが容易になる。
【０１２０】
しかも、集塵袋16を取付枠部145に取り付ける際の取り付け方向は、吸込風の流れ方向である前後方向に交差する方向なので、吸込風から受ける力により集塵袋16が集塵部本体15内で動いてしまうことがない。
【０１２１】
そして、取付枠部145に溝部Ｄを設けるだけの比較的簡単な構成で集塵袋16をインデューサＩに取り付けできるので、インデューサＩの製造が容易になる。
【０１２２】
また、集塵袋16の集塵袋本体85を、折りひだ部85a，85b，85aを設けた蛇腹構造としたことにより、折り畳んだ状態ではコンパクトでありながら、集塵袋本体85の表面積を確保でき、集塵袋16の集塵量を増加させることが可能になる。
【０１２３】
しかも、折り畳んだ状態でコンパクトになることで、集塵部本体15に分離体17を装着する際のフィルタとして集塵袋16を装着する場合に、集塵カップ３内に必要以上のスペースが必要となることがなく、集塵カップ３が必要以上に大型化することを防止できる。
【０１２４】
さらに、集塵袋16と分離体17とは、共通のクランプボタン42で集塵部本体15に対して着脱できるので、集塵袋16の着脱と分離体17の着脱とのそれぞれの動作が同一となるので、集塵カップ３の取り扱いが容易になるとともに、集塵袋16と分離体17とで別個の着脱構造を設ける場合と比較して、集塵カップ３の構成を簡略化でき、かつ、部品点数を削減できるなど、製造コストをも抑制できる。
【０１２５】
そして、集塵袋16を選択して集塵部本体15に取り付けた場合に、この集塵袋16を廃棄する際、あるいは、分離体17を選択して集塵部本体15に取り付けた場合に、各集塵空間部112，114内に捕集された塵埃を廃棄する際、および、本体下流部22に取り付けた集塵袋16を廃棄する際には、作業者が集塵袋16および分離体17に直接手を触れる必要がないので、衛生的となる。
【０１２６】
また、細塵および微細塵などを捕集する各種フィルタ101，141，142，147を備えた分離体17、フィルタ枠Ｆおよびフィルタ体18をそれぞれ集塵部本体15に対して着脱可能とすることで、これらフィルタ101，141，142，147の目詰まりなどを容易に解消でき、メンテナンス性が向上する。
【０１２７】
さらに、集塵袋16は、下端部を嵌合凹部54に嵌合させることで、集塵部本体15に対して容易に取り付けできるとともに、この嵌合凹部54への嵌合とクランプボタン42による係止とで上下両端部で集塵部本体15内に保持されているため、空気とともに塵埃を吸い込んだ際に、吸込口31と吸込開口87との間に隙間が生じることを確実に防止できる。
【０１２８】
そして、分離体17は、リブ119により位置決めおよび位置規制されるので、集塵部本体15内でがたついたり、吸込口31と連通開口94との間に隙間が生じたりすることを確実に防止できる。
【０１２９】
このため、上記一実施の形態では、集塵袋16と分離体17とのいずれを集塵部本体15に取り付けた場合でも、吸込効率が低下することを確実に防止できる。
【０１３０】
なお、上記一実施の形態において、集塵部本体15、分離体17、フィルタ枠ＦおよびインデューサＩなどは、吸い込んだ塵埃を粗塵と細塵とに分離できる構成であれば、上記構成に限定されるものではなく、例えばサイクロン式以外の分離方法のものとすることもできる。
【０１３１】
また、集塵袋16は、充分な集塵量を確保できれば、蛇腹構造のものでなくてもよい。
【０１３２】
さらに、電気掃除機としては、キャニスタ型に限らず、例えば自走式の電気掃除機などでもよく、また、例えば床ブラシ13が掃除機本体１の下面に直接形成されたアップライト型、あるいはハンディ型などであっても対応させて用いることができる。
【図面の簡単な説明】
【０１３３】
【図１】本発明の一実施の形態の電気掃除機の集塵部を示す分解斜視図である。
【図２】同上集塵袋を取り付けた集塵部の開放状態を背面側から示す斜視図である。
【図３】同上分離体を取り付けた集塵部の開放状態を背面側から示す斜視図である。
【図４】(a)は同上集塵袋が折り畳まれた状態を示す斜視図、(b)は同上集塵袋が膨らんだ状態を示す斜視図である。
【図５】同上分離体を示す斜視図である。
【図６】同上集塵部本体に取り付けた分離体を示す斜視図である。
【図７】同上分離体を集塵部本体に取り付ける際の集塵袋の取り付けを背面側から示す斜視図である。
【図８】同上集塵袋を取り付けた集塵部と分離体を取り付けた集塵部との掃除機本体への選択的な装着を示す斜視図である。
【図９】同上電気掃除機を示す斜視図である。
【符号の説明】
【０１３４】
１    掃除機本体
２    電動送風機
３    集塵部としての集塵カップ
15    集塵部本体
16    集塵袋
17    集塵容器としての分離体
85    集塵袋本体
【図１】
2006346278.tif 000003
【図２】
2006346278.tif 000004
【図３】
2006346278.tif 000005
【図４】
2006346278.tif 000006
【図５】
2006346278.tif 000007
【図６】
2006346278.tif 000008
【図７】
2006346278.tif 000009
【図８】
2006346278.tif 000010
【図９】
2006346278.tif 000011